(57)【要約】  本発明は、複数の発光タイルを有する発光デバイスに関する。各発光タイルは、少なくとも１つの接合部分をもち、これは信号伝送に適合する。２つの隣り合う発光タイルの２つの隣り合う接合部分の間に接続要素を追加することにより、２つの発光タイルがデイジーチェーンバスシステムにおいて接続される。デイジーチェーンバスシステムは、信号を伝送するように適合し、信号は、各発光タイルの出力及び／又は色を示す。
2013518367.tif 000002
【特許請求の範囲】
【請求項１】
複数の発光タイルを有する発光デバイスであって、
前記複数の発光タイルの各々は、少なくとも１つの接合部分をもち、
前記少なくとも１つの接合部分は、信号伝送に適合し、各タイルは、前記少なくとも１つの接合部分に接続された導体をもち、
前記少なくとも１つの接合部分は、接続要素を用いることにより前記複数の発光タイルのうち２つの発光タイルを互いに接続するように適合し、
前記複数の発光タイルは、デイジーチェーンバスシステムにより接続される発光面を形成するために、前記少なくとも１つの接合部分及び接続要素により接続され、前記デイジーチェーンバスシステムは、各発光タイルの出力及び／又は色を示す信号を伝送するように適合する、照明デバイス。
【請求項２】
前記発光タイルは、有機発光ダイオード又は発光ダイオードを有する、請求項１に記載の照明デバイス。
【請求項３】
前記発光タイルは、種々の形状をもつ、請求項１又は請求項２に記載の照明デバイス。
【請求項４】
前記複数の発光タイルの各タイルにおける前記導体は、デイジーチェーンバススキームに従って設けられ、前記少なくとも１つの接合部分のそれぞれは、スイッチを有し、前記複数の発光タイルのうち１つのタイルの前記デイジーバスチェーンは、各スイッチが閉じられた場合にのみ閉じられ、前記少なくとも１つの接合部分の前記スイッチは、接続要素が前記少なくとも１つの接合部分に接続されたときに空けられ、前記複数の発光タイルの各タイルの前記デイジーチェーンバスは、開けられたスイッチ毎に１つの入力及び１つの出力ポートをもち、前記入力ポート及び前記出力ポートは、前記接続要素に接続される、請求項１〜３のうちいずれか一項に記載の照明デバイス。
【請求項５】
前記スイッチはメカニカルスイッチである、請求項４に記載の照明デバイス。
【請求項６】
前記スイッチは電気スイッチである、請求項４に記載の照明デバイス。
【請求項７】
各発光タイルは、前記デイジーチェーンバスシステムに接続されたコントローラを有する、請求項１〜６のうちいずれか一項に記載の照明デバイス。
【請求項８】
発光タイルの前記コントローラは、前記発光タイルの出力及び／又は色を制御するように適合される、請求項７に記載の照明デバイス。
【請求項９】
制御ユニットが前記デイジーチェーンバスシステムに接続され、前記制御ユニットは、前記デイジーチェーンバスシステムを介して前記発光タイルの前記コントローラに信号を送るように適合され、前記信号は、前記発光タイルの出力及び／又は色を示す、請求項１〜８のうちいずれか一項に記載の照明デバイス。
【請求項１０】
前記制御ユニットは、ディスプレイを有し、前記ディスプレイは、前記発光タイルが適切に接続されたかどうかを示すように適合される、請求項９に記載の照明デバイス。
【発明の詳細な説明】
【技術分野】
【０００１】
本発明は、照明デバイスの分野に関し、より詳細には、複数の発光タイルを有する照明デバイスに関する。
【背景技術】
【０００２】
複数の発光タイルを有する発光デバイスは、例えば米国特許出願公開第２００５／２４８９３５号明細書から知られている。
【０００３】
複数の発光タイルは、これにより、様々な形状をもつことができ、タイルの各辺は、接続要素を用いて互いにタイルを接続することを可能にする接合部分を有する。全てのタイルは、電源及び通信バスに接続される。タイルがどのように接続されているかに基づいて、照明デバイスの形状は変えられ得る。
【発明の概要】
【発明が解決しようとする課題】
【０００４】
本発明の目的は、複数の発光タイルをもつ改良された発光デバイスを提供することにある。
【課題を解決するための手段】
【０００５】
この目的は、複数の発光タイルを有する発光デバイスにより達成される。複数の発光タイルの各々は、少なくとも１つの接合部分をもつ。少なくとも１つの接合部分は、信号伝送に適合する。各タイルは、少なくとも１つの接合部分に接続された導体をもつ。少なくとも１つの接合部分は、接続要素を用いることにより複数の発光タイルのうち２つの発光タイルを互いに接続するように適合する。複数の発光タイルは、デイジーチェーンバスシステムにより接続される発光面を形成するために、少なくとも１つの接合部分及び接続要素により接続される。デイジーチェーンバスシステムは、信号を伝送するように適合し、信号は、各発光タイルの出力及び／又は色を示す。
【０００６】
換言すると、複数の発光タイルをもつ照明デバイスは、少なくとも二次元において自由に構成可能である。照明デバイスは、全ての三次元において自由に構成することも可能である。信号の伝送は、電力ライン通信により実行され得る。これは、各発光タイルの出力及び／又は色を示す信号と同じラインを介して発光タイルに電力が供給されることを意味する。発光タイルの電源は、外部で実現されてもよい。それ故、各発光タイルは、電力ライン及び信号伝送ラインに接続される。信号伝送ラインは、デイジーチェーンバススキームに設けられる。
【０００７】
電力ライン通信の場合において、各発光タイルの出力及び／又は色を示す信号は、異なるパルス幅のパルスを介して伝送される。信号を整流することにより、電源が実現され得る。パルスの変化する周波数はユーザの目には見えない。
【０００８】
本発明の実施形態によれば、発光タイルは、有機発光ダイオード又は発光ダイオードを有する。有機発光ダイオード及び発光ダイオードは、導入するのが容易で費用効率が高いので、好ましくは用いられる。
【０００９】
本発明の実施形態は、ユーザが発光タイルを再配置することにより照明デバイスを設計することができるので有利である。デイジーチェーンバスシステムを用いることにより、各タイルが互いに接続され、ユーザは、発光タイルがデイジーチェーンバスシステムにより接続されている限り、照明デバイスを設計することについて完全に自由である。
【００１０】
本発明の実施形態によれば、発光タイルは、種々の形状をもつ。これは、照明デバイスを設計することについてより自由度がユーザに与えられるので有利である。
【００１１】
本発明の実施形態によれば、複数の発光タイルの各タイルにおける導体は、デイジーチェーンバススキームに従って設けられる。換言すると、各タイルの導体は、それ自体でデイジーチェーンを形成する。少なくとも１つの接合部分のそれぞれは、スイッチを有する。複数の発光タイルのうち１つのタイルのデイジーバスチェーンは、各スイッチが閉じられた場合にのみ閉じられる。換言すると、各タイルは、デイジーチェーンバスにおいて、少なくとも１つの接合部分におけるスイッチにおり接続された導体を有する。少なくとも１つの接合部分のスイッチは、接続要素が少なくとも１つの接合部分に接続されたときに空けられる。開スイッチにつき、複数の発光タイルの各タイルのデイジーチェーンバスは、１つの入力及び１つの出力ポートをもつ。入力及び出力ポートは、接続要素に接続される。
【００１２】
これは、接続要素が接合部分に接続されたときに、タイルのデイジーチェーンバスが開けられ、入力及び出力ポートをもつことを意味する。接続要素を介して、第１のタイルの入力ポートは、第２のタイルの出力ポートに接続され、その逆も同様である。このようにして隣り合うタイルを接続することにより、照明デバイスの各タイルを通るデイジーチェーンバスが実現される。接続要素及び発光タイルを追加することにより、又は、接続要素及び発光タイルを再配置することにより、照明デバイスの形状が容易に変えられ得る。
【００１３】
本発明の実施形態によれば、スイッチはメカニカルスイッチである。これは、接続要素が少なくとも１つの接合部分に接続されたときにスイッチが自動的に空けられるので有利である。接続要素が少なくとも１つの接合部分に接続されたときにスイッチが閉じられることはできない。これは、メカニカルスイッチが高い信頼性をもつので有利である。
【００１４】
本発明の実施形態によれば、スイッチは電気スイッチである。これは、電気スイッチが外部で制御され得るので有利である。スイッチは、スイッチと同じ発光タイル内に配置されたコントローラにより、又は、中央制御ユニットにより、制御され得る。スイッチは、タイル又は接続要素を取り外すことなく、電気的に容易に切り替えられ得る。
【００１５】
本発明の実施形態によれば、各発光タイルは、デイジーチェーンバスシステムに接続されたコントローラを有する。このコントローラは、コントローラが配置された発光タイルの出力及び／又は色を制御する。それ故、各発光タイルは自己のコントローラをもつ。コントローラは、発光タイルの出力及び／又は色を示す信号を受信し、この信号に応じて出力及び／又は色を制御する。信号は、各コントローラに伝送され、単一のコントローラが、信号に符号化された識別番号によりアドレスされる。
【００１６】
本発明の実施形態によれば、中央制御ユニットがデイジーチェーンバスシステムに接続され、この中央制御ユニットは、デイジーチェーンバスシステムを介して発光タイルのコントローラに信号を送るように適合され、これらの信号は、発光タイルの出力及び／又は色を示す。換言すると、中央制御ユニットは、複数の発光タイルに信号を送り、特定の発光タイルの特定のコントローラをアドレスし、発光タイルの光の出力及び／又は色を設定する。
【００１７】
発光タイルのコントローラがこれにアドレスされた信号を受信したときには、コントローラは、信号によりコントローラに伝送された値に応じて発光タイルの出力及び／又は色を変更する。信号は、発光タイルの出力及び／又は色を変えないことを示してもよい。出力を変更することに関して、コントローラは外部電源を変更してもよく、又は、電力ライン通信の場合において、コントローラは、電力ライン通信により発光タイルに伝送された出力を変更してもよい。
【００１８】
本発明の実施形態によれば、制御ユニットは、ディスプレイを有する。ディスプレイは、発光タイルが適切に接続されたかどうかを示すように適合される。これは、発光タイルが適切に接続されたかどうかをユーザに示すために有利である。例えばユーザが発光タイルの配置を変更した場合には、ユーザは、これらを適切に配置しない場合があり、デイジーチェーンバスが壊される場合がある。この場合、ユーザは、ディスプレイにより警告され、それ故に、ユーザは、発光タイルの配置を変更することができる。
【００１９】
本発明のこれらの及び他の態様は、後述される実施形態から明らかになり、これらの実施形態を参照して説明されるだろう。
【図面の簡単な説明】
【００２０】
【図１】自由に構成可能な二次元照明デバイスの概略図である。
【図２】複数のタイルを接続するデイジーチェーンバスの概略図である。
【図３】コントローラと４つの接合要素とを有する発光タイル、及び、接続要素の概略図である。
【図４ａ】デイジーチェーンバスにおいて接続された２つの発光タイルの概略図である。
【図４ｂ】デイジーチェーンバスにおいて接続された２つの発光タイルの概略図である。
【図５】デイジーチェーンバスにおける接続である複数の発光タイルを有する照明デバイスの概略図である。
【図６】照明デバイスを形成する複数の発光タイルの概略図である。
【図７】メカニカルスイッチの概略図である。
【図８】電気スイッチを備えた発光タイルの概略図である。
【発明を実施するための形態】
【００２１】
図面において類似で番号付けられた要素は、同一の要素であるか又は同一の機能を実行する。前述された要素は、機能が同一である場合には、後の図面において述べられる必要はないだろう。
【００２２】
図１は、複数の発光タイル１０２，１０４，１０６をもつ照明デバイス１００の概略図である。発光タイル１０２，１０４，１０６は、種々の形状をもつ。発光タイル１０２は、五角形形状であり、発光タイル１０４は矩形形状であり、発光タイル１０６は三角形である。
【００２３】
各発光タイル１０２，１０４，１０６は、少なくとも１つの他の発光タイル１０２，１０４，１０６に接続される。異なる形状の発光タイルも互いに接続され得ることに留意されたい。例えば、三角形発光タイル１０６は、五角形発光タイル１０２に接続され得る。２つの発光タイル１０２，１０４，１０６間の接続は、２つの接続されたタイル間に配置された接続要素１０８により行われる。
【００２４】
接続要素１０８は、第１の発光タイルの接合要素を第２の発光タイルの接合要素に接続することにより、２つの隣り合う発光タイル１０２，１０４，１０６を接続する。各タイルは、各辺に１つの接合要素１１０をもつ。それ故、タイル１０２，１０４，１０６は、発光タイル１０２，１０４，１０６の接合部分１１０を接続要素１０８に接続することにより、他の発光タイル１０２，１０４，１０６に接続されるように適合される。
【００２５】
タイル１０２，１０４，１０６の形状は、好ましくは、正三角形１０６又は四角形１０４のような少なくとも３又はそれ以上の辺をもつ多角形タイプである。タイルの各辺は、接続要素１０８を用いてタイルを互いに接続することを可能とする接合部分１１０を有する。どのようにタイルが接続されるかに依存して、異なる形状をもつ照明デバイス１００のような多種多様な組み合わせが実現され得る。
【００２６】
電気的に、照明デバイス１００は、全てのタイル１０２，１０４，１０６が電力及び通信バスに接続されるような態様で組織化される。通信バスは、標準的なソリューションを用いたデイジーチェーンタイプのものである。全てのタイル１０２，１０４，１０６は、好ましくはバスシステムに接続された中央コントローラにより、放射された光の色及び強度を個別に決定するように制御される。光源として、個々のタイルは、好ましくは、１又はそれ以上のＬＥＤ又は所望形状のモノリシックＯＬＥＤデバイスを有する。
【００２７】
デイジーチェーンバスは、ほとんど無制限の数のノード（タイル）により容易に拡張可能である一方で、ループ又はスタブが可能ではないという欠点をもつ。これは、照明デバイスのタイルの数及び／又はタイルの形状が変更されたときのバスシステムの慎重な再設計をほのめかす。
【００２８】
接合部分１１０及び接続要素１０８をもつタイル１０２，１０４，１０６は、例えば接続されたタイル１０２，１０４，１０６の数、個々のタイル１０２，１０４，１０６の形状、及び／又は、これらの幾何学的配向を変えることにより照明デバイスの形状が変更されたときに、バスシステムを自動的に拡張及び／又は変更する。
【００２９】
発光タイル１０２，１０４，１０６の各接合要素は、他の発光タイル１０２，１０４，１０６に接続される必要がないことに留意されたい。タイルの内部デイジーチェーンは、接続要素が接合部分１１０に接続されないときに、接合部分１１０で閉じられる。接続要素１０８が接合部分１１０に接続された場合には、発光タイル１０２，１０４，１０６は、接続要素１０８に接続された接合要素１１０において入力ポート及び出力ポートをもつ。２つの発光タイル１０２，１０４又は１０６を互いに接続することにより、一の発光タイルの入力ポートは、他方の発光タイルの出力ポートに接続され、その逆も同様である。このアーキテクチャにより、デイジーチェーンバスが、各発光タイル１０２，１０４，１０６を通る。
【００３０】
図２は、本発明のデイジーチェーンバスシステムの概略図である。中央制御ユニット２００は、デイジーチェーンバスを介して各タイル２０２１−ｎに接続される。中央制御ユニット２００は、各タイル２０２１−ｎの出力及び／又は色を制御するように適合される。発光タイル２０２１−ｎの出力及び／又は色を変えるために、中央制御ユニット２００は、対応するタイル、例えば２０２２にデイジーチェーンバスを介して信号を伝送する。タイル２０２２に伝送された信号は、デイジーチェーンバスシステムのため、タイル２０２１を介して伝送されなければならない。信号がアドレスされたタイル２０２２に達したときに、タイル２０２２内のコントローラは、２０２２の出力及び／又は色を、中央制御ユニット２００から伝送された信号により示された出力及び／又は色に適合させる。
【００３１】
図３は、コントローラ３００と、各接合要素３０２１−４がスイッチ３０４をもつ４つの接合要素３０２１−４とを有する発光タイル１０４の概略図である。発光タイル１０４は、内部バス３０６も有する。前記バスは、接合要素３０２１−４内のスイッチ３０４を接続する複数の導体を有する。図３の場合のように、全てのスイッチ３０４が閉じられたときには、内部バス３０６は、コントローラ３００をもつデイジーチェーンバスを形成する。発光タイル１０４の隣には、接続要素１０８が図３において示されている。接続要素１０８は、発光タイル１０４の接合要素３０２１−４に接続されるように適合する。接続要素が接合要素３０２１−４に接続されたときには、対応する接合要素３０２１−４のスイッチ３０４が開けられ、接続要素が２つの端子３０８をもつ。端子３０８は、入力ポート及び出力ポートとも呼ばれる。
【００３２】
タイル１０４に取り付けられた接続要素１０８がない場合には、内部バスは、電気的な閉ループを形成する。このループは、接合スイッチ３０４を用いて電気的に開けられる。接続要素１０８がタイル１０４の接合要素１１０のうち１つにドッキングされたときには、対応するスイッチ３０４が開けられ、前もって閉じられたバスループが開けられて接続要素端子３０８まで拡張される。
【００３３】
図４ａは、接続要素１０８で互いに接続された２つの発光タイル１０４１及び１０４２の概略図である。加えて、発光タイル１０４２は、中央制御ユニット２００に接続される。接続要素１０８は、発光タイル１０４１及び１０４２を接続する。これを行うために、接続要素１０８は、各発光タイル１０４１及び１０４２において接合要素１１０内のスイッチを機械的又は電気的に開ける。前述されたように、接合要素１１０のスイッチが開けられたときには、接続要素は、入力ポート及び出力ポートをもつ。タイル１０４１及び１０４２の双方のスイッチが開けられるので、双方のタイルは、接続要素１０８に接続され、双方のタイルは、接続要素１０８において入力ポート及び出力ポートをもつ。１０４１の入力ポートは、タイル１０４２の出力ポートに接続される。１０４２の入力ポートは、タイル１０４１の出力ポートに接続される。中央制御ユニット２００とのタイル１０４２の接続は、同様の態様で行われる。他の接続要素１０８は、タイル１０４２に接続され、タイル１０４２を中央制御ユニット２００に接続する。タイル１０４２を中央制御ユニット２００に接続するために、この場合も同様に、対応するスイッチが開けられる。この態様においてタイル１０４２及び１０４１を中央制御ユニット２００に接続することにより、データパス４００は、中央制御ユニット２００から発光タイル１０４２及び対応するコントローラ３００２を介して発光タイル１０４１及び対応するコントローラ３００１に至り、発光タイル１０４２を介して中央制御ユニット２００に戻るデイジーチェーンをもたらすように確立される。
【００３４】
これは、接続要素に接続された接合要素のスイッチが開けられ、接続要素に接続されていない接合要素のスイッチが閉められるので、唯一可能である。この原理により、デイジーチェーンバスは、中央制御ユニット２００から２つの発光タイル１０４１及び１０４２を介して確立される。デイジーチェーンバスを介して信号が出力され、これは、発光タイル１０４１及び１０４２の出力及び／又は色の変化をトリガするように適合される。それ故、２つのコントローラ３００１及び３００２は、データパス４００を介して中央制御ユニット２００から信号を受信するように適合される。更に、コントローラ３００１及び３００２は、発光デバイス１０４１及び１０４２の出力及び／又は色を変更するように適合される。これにより、コントローラ３００１は、発光タイル１０４１に関与し、コントローラ３００２は、発光タイル１０４２に関与する。
【００３５】
この内部接続の結果は、中央制御ユニット２００をタイル１０４２と接続する接続要素の第１の端子から開始し、タイル１０４２の内部バスにより更に拡張され、タイル１０４１をタイル１０４２と接続する接続要素１０８によりタイル１０４１の内部バスまで更に拡張されるデータパス４００が自動的に生成される。ここから、データパスは、双方のタイル１０４１−２を介して戻り、タイル１０４２を中央制御ユニット２００と接続する接続要素の第２の端子に戻るように拡張する。
【００３６】
図４ｂは、互いに接続された２つの発光タイル１０４１及び１０４２の概略図を示しており、タイル１０４２は、中央制御ユニット２００にも接続されている。接続は、接続要素１０８により行われる。概して、図４ｂの実施形態は、図４ａの実施形態と同様である。主要な差は、タイル１０４２の２つの隣り合う接合要素が、タイル１０４１及び中央制御ユニット２００に接続されることである。これは、９０°の角度が中央制御ユニット２００への接続とタイル１０４１への接続との間で実現されることを意味する。これは、任意のタイル１０４がタイル１０４２の任意の接合要素に接続され得ることを示す。同じことが中央制御ユニット２００に当てはまる。それ故、照明デバイスの異なる形状が実現可能である。
【００３７】
図５は、複数の発光タイル１０４を有する照明デバイス１００の概略図である。照明デバイス１０４は、前述されたように接続要素と接続される。各発光タイル１０４は、４つの接合要素を有し、各接合要素は、スイッチを有する。更に、各発光タイルは、対応する発光タイルの出力及び／又は色を制御するように適合されるコントローラ３００を有する。各コントローラ３００は、コントローラ３００が配置された発光タイル１０４の出力及び／又は色を制御する。
【００３８】
隣り合う発光タイル１０４を接続要素で接続することにより、照明デバイスの任意の形状が実現され得る。各発光タイル１０４は全ての隣接物に接続されるものではないことに留意されたい。接続要素が２つの隣り合う発光タイル１０４間に追加されたときには、データパスが前述されたようなデイジーチェーンバス４００のままであることについて注意を払わなければならない。間違った位置に接続要素を追加することにより、デイジーチェーンバス４００全体が壊され得る。これは、正常に機能しない照明デバイス１００をもたらすだろう。オプション的に、中央制御ユニット２００は、ディスプレイ５００を有する。中央制御ユニット２００は、デイジーチェーンデータパス４００を監視する。ユーザがデイジーチェーンデータパス４００を壊したときには、中央制御ユニット２００は、これをディスプレイ５００上に示す。そして、ユーザは、最後の再配置がデイジーチェーンデータパス４００を壊したことを知る。
【００３９】
図５のような機能するデイジーチェーンデータパス４００の場合において、中央制御ユニット２００は、発光タイル１０４を介して中央コントローラに信号を送るように適合する。信号は、中央制御ユニット２００によりアドレスされたコントローラを有する対応する発光タイルの出力及び／又は色に関する指標を有し得る。各タイル１０４がコントローラをもつので、各発光タイルの出力及び／又は色は個別に制御され得る。例えば、中央制御ユニット２００は、出力を増大させるとともに色を変えるためにデイジーチェーン内の第３のコントローラにアドレスする。それ故、信号は、デイジーチェーン４００全体を介して伝送されるが、第３のコントローラだけがアドレスされる。中央制御ユニット２００からコントローラに伝送された信号は、発光タイル１０４の出力及び／又は所望の色を有する。信号が第３のコントローラにより受信されたときには、対応する発光タイルの光の出力及び／又は色が変更される。第３のコントローラは、第３のコントローラが配置された発光タイルの出力及び／又は色を変えるように適合される。
【００４０】
図６は、４つの辺をもつ複数の発光タイル１０４と三角形状の複数の発光タイル１０６とを備えた照明デバイス１００の概略図である。幾つかの発光タイル１０４，１０６の間に接続要素を追加することにより、デイジーチェーンデータパス６００は、複数のタイル１０４，１０６の各タイルを介して確立される。図６は、原理上、照明デバイス１００の任意の種類の形状が異なる形状１０４，１０６の発光タイルを接続することにより実現されることを示している。デイジーチェーン６００を妨害していないことについて注意を払わなければならない。
【００４１】
図７は、スイッチ３０４をもつ２つの接合要素１１０１，１１０２の概略図である。これは、２つの隣り合うタイルが接続されたときにスイッチ３０４を機械的に切り替えるための一例である。２つの接合要素１１０１，１１０２が接続されたときには、スイッチ３０４が自動的に開けられる。これは、接合要素１１０１，１１０２を通るデイジーチェーンデータバスをもたらす。２つの接合要素１１０１，１１０２が接続されていない場合には、スイッチ３０４は閉じられ、接合要素１１０１において出力ポート又は入力ポートを利用できない。
【００４２】
図７における接合要素１１０１−２は、メスコネクタが一体化スイッチ３０４をもつ接続部を有する。メススイッチはタイル接合１１０１に対して使用される。そして、オスコネクタは、接続要素として用いられる。オスコネクタがメスコネクタに差し込まれたときには、内部スイッチ３０４が機械的に開けられる。オスプラグをもたないメスコネクタは、閉じられた対応するスイッチ３０４を有する。
【００４３】
図８は、コントローラ３００をもつ発光タイル１０４の概略図である。コントローラ３００は発光タイル１０４のスイッチを電気的に制御する。それ故、コントローラ３００は、デイジーチェーンバスを介して信号を受信し得る。信号は、スイッチの切り替えを示す。幾つかのデータライン８００，８０２は、コントローラから接合要素に導く。接続要素１０８が接合要素に追加されたときには、コントローラ３００は、隣り合う発光タイルへ及び隣り合う発光タイルからのデータストリームを確立するための対応するスイッチを開ける。これを行うことにより、デイジーチェーンバスシステムが確立される。
【００４４】
本発明は、図面及び前述された説明において詳細に示され説明された一方で、斯様な例示及び説明は、例示又は単なる例であり、限定するものではないものと見なされるべきである。即ち、本発明は、開示された実施形態に限定されるものではない。開示された実施形態に対する他のバリエーションは、図面、開示及び特許請求の範囲の研究から、当業者により理解され実施され得る。請求項において、"有する"という用語は、他の要素又はステップを除外するものではなく、単数表記は、複数を除外するものではない。特定の手段が相互に異なる従属請求項に記載されるという単なる事実は、これらの手段の組み合わせが有利に用いられ得ないことを示すものではない。請求項中の任意の参照符号は、その範囲を限定するものとして考慮されるべきではない。
【符号の説明】
【００４５】
１００  照明デバイス
１０２  発光タイル
１０４  発光タイル
１０６  発光タイル
１０８  接続要素
１１０  接合要素
２００  制御ユニット
２０２１−Ｎ  発光タイル
３００  コントローラ
３０２１−Ｎ  接合要素
３０４  スイッチ
３０６  内部バス
３０８  端子
４００  データパス
５００  ディスプレイ
６００  デイジーチェーン
８００  データライン
８０２  データライン
８０４  データストリーム
【図１】
2013518367.tif 000003
【図２】
2013518367.tif 000004
【図３】
2013518367.tif 000005
【図４ａ】
2013518367.tif 000006
【図４ｂ】
2013518367.tif 000007
【図５】
2013518367.tif 000008
【図６】
2013518367.tif 000009
【図７】
2013518367.tif 000010
【図８】
2013518367.tif 000011
【国際調査報告】
2013518367.tif 000012
2013518367.tif 000013
2013518367.tif 000014